(57)【要約】      （修正有）【課題】シンボルマークの位置調整を容易に行え、効率よく組立作業が行えるリールユニットを提供する。【解決手段】ランプユニット９には、モータのステップ角に準じて設けられた複数の嵌合凹部９ｂが設けられ、センサーステー１５には任意の嵌合凹部に嵌合する嵌合凸片を設け、リールドラム１１に設けられた検出片はモータの半ステップ角に準じて移動固定可能とし、センサーステーをランプユニットに取り付ける際、センサーステー１５の嵌合凸片を、ランプユニットに設けられた複数の嵌合凹部の任意の位置に嵌合させることで、モータのステップ角に準じてシンボルマークの位置調整を行う第１調整手段と、検出片を移動固定し、モータの半ステップ角に準じてシンボルマークの位置調整を行う第２調整手段と、を備えた。【選択図】図８
2009072406.tif 000002
【特許請求の範囲】
【請求項１】
回胴ケースに垂直状態に固設されるベース部を介して装着されるリールユニットにおいて、
前記リールユニットは、
円筒形状のリールドラムと、
前記リールドラムの外周面に貼着されるシンボルマークが描かれた図柄シートと、
前記リールドラムを回転駆動するモータと、
前記モータを固設するベース部と、
前記ベース部に固設され、照光部を備えたランプユニットと、
前記リールドラムに設けられた検出片と、
前記検出片の通過を検出しリールドラムの回転を検出する検出センサと、
前記検出センサを備え前記ランプユニットに取り付けるセンサーステーと、
から構成され、
前記ランプユニットには、モータのステップ角に準じて設けられた複数の嵌合凹部が設けられ、
前記センサーステーには任意の嵌合凹部に嵌合する嵌合凸片を設け、
前記リールドラムに設けられた前記検出片はモータの半ステップ角に準じて移動固定可能とし、
前記センサーステーを前記ランプユニットに取り付ける際、前記センサーステーの嵌合凸片を、前記ランプユニットに設けられた複数の嵌合凹部の任意の位置に嵌合させることで、モータのステップ角に準じてシンボルマークの位置調整を行う第１調整手段と、
前記検出片を移動固定し、モータの半ステップ角に準じてシンボルマークの位置調整を行う第２調整手段と、
を備えたことを特徴とするリールユニット。
【発明の詳細な説明】
【技術分野】
【０００１】
本発明は、スロットマシンや弾球遊技機といった遊技機に用いられるリールユニットに関する。
【背景技術】
【０００２】
従来のスロットマシンは、外周面に複数のシンボルマークが描かれた図柄シートを有する３個のリールユニットが整列され、前記リールユニットに設けられたリールドラムを回転することにより変化する図柄シートのシンボルマークを機体の表示窓から表示し、各リールドラムを順次停止させることにより、それぞれ停止したシンボルマークを表示窓内に表示するようにしている。
【０００３】
このようなスロットマシンにおいて、表示窓には各シンボルマークの停止位置に合わせて、上、中、下、斜めの５本の停止ラインが形成され、各リールドラムの停止時において、いずれかの停止ライン上に特定のシンボルマークの組合せが成立すると入賞となり、遊技客に所定枚数のメダルが払出されるものである。
【０００４】
前記リールユニットは、回転するリールドラムと、前記リールドラムと一体となった検出片と、前記リールドラムの外周に貼り付けられ、その外周に様々なシンボルマークが描かれた図柄シートと、前記リールドラムを回転させるモータと、前記モータを取り付ける取付板と、リールドラムの回転位置を前記検出片にて認識するセンサと、リールドラムの内周部に設けられた照光部とから構成されている。
【０００５】
前記リールユニットの組立時、図柄シートの外周に描かれたシンボルマークと、リールドラムと一体になった検出片との相対位置が一定関係に定められ、前記リールドラムの外周に貼り付けられる。この貼り付け位置の良否は、貼り付け後にリールドラムを回転、停止させ、特定シンボルマークの停止位置と基準位置とをセンサにて比較することで判定され、該判定の結果、否と判定されたものは図柄シートをリールドラムの外周から剥がし、再度貼り直しを行う。この貼り直し作業は、前述した作業以外にも、モータや検出センサの特性、リールドラムなどの組立誤差等で起こることもあり、リール本体を効率よく組立作業を行えなかった。
【０００６】
昨今、貼り直し作業を必要とせず、効率よく組立作業を行えるリールユニットが下記先願にて開示されている。下記特許文献１にて開示されているリールユニットは、リールドラムに設けられた位置決め部材（検出片）を円周方向に調整できるように取り付けられ、センサに対し移動調整することで、図柄シートの貼り直し作業を行わず調整を行えるものである。また、下記特許文献２にて開示されているリールユニットは、モータが取り付けられているブラケット（取付板）に移動自在と成すセンサを設けられ、該センサを相対位置関係のずれを打ち消す方向で移動することで、図柄シートの貼り直し作業を行わずとも調整を行えるものである。
【特許文献１】実開昭６１―１５１７８３
【特許文献２】特開平１０―２７７２０２
【発明の開示】
【発明が解決しようとする課題】
【０００７】
しかしながら、前述する位置決め部材やセンサでの移動調整では、具体的な位置合わせが無く移動量があいまいなため、モータや検出センサの特性、組立誤差等の原因で起こる基準位置に対するシンボルマークの停止位置のズレを解消することができず、また、組立作業に置ける調整作業が難しく、作業工数がかかる問題があった。
【０００８】
本発明は上記課題を鑑み、シンボルマークの位置調整を容易に行え、効率よく組立作業が行えるリールユニットを提供する。
【課題を解決するための手段】
【０００９】
上記の問題を解決するために、本発明の請求項１のリールユニットは、回胴ケースに垂直状態に固設されるベース部を介して装着されるリールユニットにおいて、前記リールユニットは、円筒形状のリールドラムと前記リールドラムの外周面に貼着されるシンボルマークが描かれた図柄シートと、前記リールドラムを回転駆動するモータと、前記モータを固設するベース部と、前記ベース部に固設され、照光部を備えたランプユニットと、前記リールドラムに設けられた検出片と、前記検出片の通過を検出しリールドラムの回転を検出する検出センサと、前記検出センサを備え前記ランプユニットに取り付けるセンサーステーと、から構成され、前記ランプユニットには、モータのステップ角に準じて設けられた複数の嵌合凹部が設けられ、前記センサーステーには任意の嵌合凹部に嵌合する嵌合凸片を設け、前記リールドラムに設けられた前記検出片はモータの半ステップ角に準じて移動固定可能とし、前記センサーステーを前記ランプユニットに取り付ける際、前記センサーステーの嵌合凸片を、前記ランプユニットに設けられた複数の嵌合凹部の任意の位置に嵌合させることで、モータのステップ角に準じてシンボルマークの位置調整を行う第１調整手段と、前記検出片を移動固定し、モータの半ステップ角に準じてシンボルマークの位置調整を行う第２調整手段と、を備えたことを特徴とする
【発明の効果】
【００１０】
本発明によれば、センサーステーの嵌合凸片を、ランプユニットに設けられた複数の嵌合凹部の任意の位置に嵌合させることで、モータのステップ角に準じてシンボルマークの位置調整を行う第１調整手段と、検出片を移動固定し、モータの半ステップ角に準じてシンボルマークの位置調整を行う第２調整手段と、を備えたことで、高精度の位置調整を行うことができ、モータや検出センサの特性による位置ズレ、組立誤差等が生じても、シンボルマークの位置調整を行うことできる。また、モータのステップ角、半ステップ角に準じた具体的な位置合わせを行うことができるため、シンボルマークの位置調整を容易に行え、効率よく組立作業が行うことができる。
【発明を実施するための最良の形態】
【００１１】
以下、本発明の実施例について図面を参照しながら説明する。
【実施例１】
【００１２】
以下、各図面に基づき本発明のリールユニット７を詳細に説明する。  図１はリールユニット７が設けられたスロットマシン１の外観斜視図を示す図である。図1において、スロットマシン１は箱型形状の本体部３と、該本体部３の前面開口に扉部５が開閉可能に設けられている。前記扉部５の前面には透明な合成樹脂板または強化ガラスの表面に任意の彩色を施して形成された上部パネル５ａと、略中央の正面パネル５ｂと下部パネル５ｃと、が設けられている。このうち正面パネル５ｂには表示窓５ｄが設けられている。
【００１３】
また、正面パネル５ｂと下部パネル５ｃとの間には、スタートレバー５ｅとスロットマシン１の内部に設けられたリールユニット７に対応した３個の停止ボタン５ｆと、メダル投入口５ｇ等が設けられ、下部パネル５ｃの下方にはメダル払出口５ｈと、メダル受皿５ｊ等が設けられている。
【００１４】
図２はリールユニット７の外観斜視図を示す図である。リールユニット７は、スロットマシン１に複数（実施例では３個）設けられ、箱型形状で片側側面が開口する回胴ケース２１に、横方向に配列された状態で組み込まれている。組み込まれた夫々のリールユニット７は、回胴ケース２１と着脱自在の構成と成し、取り付け後、ねじ止することで固定する。夫々のリールユニット７には、円筒形状のリールドラム１１が設けられ、その外周面に帯状の図柄シート２３を貼着して成り、夫々の図柄シート２３は透孔性を有する素材により構成され、その表面には様々な文字や図柄等のシンボルマーク２３ａが描かれており、各リールユニット７を停止した際のシンボルマーク２３ａの組み合わせにより入賞を成立させる構成とされている。
【００１５】
図３にてリールユニット７の構成を説明する。図３はリールユニット７の分解斜視図を示す図である。リールユニット７は、回胴ケース２１と着脱自在と成し、回転駆動するモータ７ｂとランプユニット９とを固設したベース部７ａと、前記モータ７ｂにより回転駆動する出力軸７ｃに取付固定し、その外周に図柄シート２３を貼着したリールドラム１１と、から構成される。リールドラム１１を回転駆動させるモータ７ｂは、ステッピングモータであり、出力軸７ｃを指定された角度で停止させることが可能である。
【００１６】
ランプユニット９はリールドラム１１に貼着した図柄シート２３の裏側を沿う周方向に配列され、ランプユニット９の背面に複数の発光体を配列した基板９ａを備え、照光部として図柄シート２３の裏側からシンボルマーク２３ａを照らし出す。また、ランプユニット９には、リールドラム１１の回転を検出する検出センサ１３を備えたセンサーステー１５が設けられている。前記検出センサ１３は、本発明において先端がコの字状としたフォトセンサを用いており、その取付位置はモータ７ｂの出力軸７ｃを中心とする円上に配置される。
【００１７】
リールドラム１１は、円筒状で、側面側にはその外周を支持する複数のスポーク部１１ａが円周上一定間隔に設けられ、その外周面には帯状の図柄シート２３が貼着され、ベース部７ａに固設したモータ７ｂの出力軸７ｃに配したドラム嵌合部７ｄと嵌合し、押さえ板７ｅを介して出力軸７ｃに固定ネジ２５にてねじ止される。
【００１８】
リールドラム７は図３に示すように、一端のスポーク部１１ａの略中央部分に該リールドラム１１の回転を前記検出センサ１３にて検出させるための検出片１７を設け、該スポーク部１１ａに固定ネジ２５にてねじ止されている。該検出片１７はリールドラム１１の回転に伴い、モータ７ｂの出力軸７ｃを中心とする円上に配置された検出センサ１３を通過する方向に沿って回転し、該検出センサ１３を通過することで、リールドラム１１の回転を検出させている。なお、図示したリールユニット７においては、本発明の特徴を説明するための構成のみを図示し、モータ７ｂ、基板９ａ等の配線などは省略する。
【００１９】
次に、図４、図５、図６を用いて、シンボルマーク２３ａの位置調整を可能とする構成を説明する。  図４は、リールユニット７の部分拡大図を示す図であり、図５はランプユニット９に取り付ける検出センサ１３を備えたセンサーステー１５の詳細図を示す図であり、図６は、リールドラム１１に取り付ける検出片１７の詳細図を示す図である。  図４に示すように、ベース部７ａに固設されたランプユニット９には、三角形状の嵌合凹部９ｂが複数（本実施例においては５箇所）設けられている。前記嵌合凹部９ｂは、ランプユニット９と同様にベース部７ａに固設されたモータ７ｂの出力軸７ｃの中心Ｃから円周上に角度αずつ夫々離れて設けられている。角度αはベース部７ａに設けたモータ７ｂのステップ角（本発明においては約１．８°）と同様であり、後述するセンサーステー１５の嵌合凸片１５ａを任意の位置で嵌合することにより、該センサーステー１５に備えた検出センサ１３をモータ７ｂのステップ角に準じて取付位置を調整可能とする。
【００２０】
また、リールドラム１１の外周を支持する複数のスポーク部１１ａの一端側には、後述する検出片１７の検出片嵌合部１７ｂと嵌合する嵌合穴１１ｂと、該検出片１７の取付穴１７ｃと連通する長穴１１ｃが設けられている。嵌合穴１１ｂと長穴１１ｃは夫々、モータ７ｂの出力軸７ｃの中心Ｃから円周上に角度βの大きさで開口している。角度βはベース部７ａに設けたモータ７ｂのステップ角の半分の大きさである半ステップ角（本発明においては約０．９°）と同様であり、後述する検出片１７を任意の位置で移動固定することにより、該検出片１７をモータ７ｂの半ステップ角に準じて取付位置を調整可能とする。
【００２１】
ランプユニット９は、図５に示すとおり、リールドラム１１の回転を検出する検出センサ１３を備えたセンサーステー１５が設けられている。前記センサーステー１５は、検出センサ１３を備え、ランプユニット９のセンサ取付穴９ｃと連通する長穴１５ｂと、該ランプユニット９に設けた複数の嵌合凹部９ｂのいずれか一箇所に嵌合する１条の嵌合凸片１５ａが設けられている。
【００２２】
センサーステー１５をランプユニット９に取り付ける際、該センサーステー１５に設けられた嵌合凸片１５ａを、該ランプユニット９に設けた複数の嵌合凹部９ｂのうち、いずれか一箇所に嵌合させ、該ランプユニット９に設けたセンサ取付穴９ｃと連通する長穴１５ｂを介して固定ネジ２５にてネジ止し、取り付けを行う。前記嵌合凸片１５ａを複数の嵌合凹部９ｂの任意の位置に嵌合させることにより、該センサーステー１５に設けた検出センサ１３がリールドラム１１の回転方向に沿って移送する。
【００２３】
該検出センサ１３が移送することで、リールドラム１１に設けた検出片１７を検出する検出位置を可変することができ、該センサーステー１５がモータ７ｂのステップ角に準じて、その取付位置が調整可能となる。検出位置を移送することにより、図柄シート２３に描かれたシンボルマーク２３ａの停止位置を可変することが可能となり、また、複数の嵌合凹部９ｂのうち任意の位置に嵌合凸片１５ａを嵌合することで、モータ７ｂのステップ角に準じて検出位置を具体的に位置合わせすることが可能である。
【００２４】
本実施例において、リールユニット７は、センサーステー１５の嵌合凸片１５ａを、ランプユニット９に複数設けた嵌合凹部９ｂの任意の位置に嵌合させることで、モータ７ｂのステップ角に準じてシンボルマーク２３ａの位置調整を行う第１調整手段として備えている。
【００２５】
次に、図６に示すように、検出片１７は、モータ７ｂ側に突出し検出センサ１３を通過する検出部１７ａと、スポーク部１１ａに取り付ける取付穴１７ｃと、検出片嵌合部１７ｂと、を形成している。検出片１７を取り付ける際、スポーク部１１ａに開口する嵌合穴１１ｂに該検出片１７の検出片嵌合部１７ｂを挿入し、嵌合穴１１ｂの側面の一方側に検出片嵌合部１７ｂの側面を合致させた状態で位置合わせを行う。検出片１７の位置合わせ後、検出片１７の取付穴１７ｃと連通する長穴１１ｃより固定ネジ２５にてねじ止する。
【００２６】
スポーク部１１ａに開口する嵌合穴１１ｂ及び長穴１１ｃは、モータ７ｂの出力軸７ｃの中心Ｃから円周上に該モータ７ｂの半ステップ角分の大きさである角度βの大きさで開口しているため、検出片１７の側面を嵌合穴１１ｂの側面の一方側へ合致させ、固定ねじ２５にてネジ止することで、該検出片１７をモータの半ステップ角に準じて取付位置を調整可能とする。なお、嵌合穴１１ｂ及び長穴１１ｃに対する検出片１７の移送範囲は、検出片１７とシンボルマーク２３ａとの相対位置の一定関係の範囲内で移送可能とする。
【００２７】
本実施例において、リールユニット７は、スポーク部１１ａに取り付ける検出片１７の検出片嵌合部１７ｂの側面を、スポーク部１１ａに開口する嵌合穴１１ｂの側面の一方側へ合致させて移動固定することで、モータ７ｂの半ステップ角に準じてシンボルマーク２３ａの位置調整を行う第２調整手段として備えている。
【００２８】
次に、図７、図８を用いて本発明であるリールユニット７の作用を説明する。図７は基準となるシンボルマーク２３ａの位置が他と異なった状態を示す図であり、図８は、リールユニット７の部分拡大図を示す図であり、（ａ）は移送前センサーステー１５と検出片１７の取付位置を示し、（ｂ）は移送後のセンサーステー１５と検出片１７の取付位置を示す図である。図７に示すように、夫々のリールユニット７を組み立て、横方向に配列された状態で回胴ケース２１に組付ける。組付け後、夫々のリールユニット７をリールドラム１１を回転、停止させ、特定のシンボルマーク２３ａの停止位置と基準位置Ｏとを比較することで判定され、該判定の結果、否と判定されたものはシンボルマーク２３ａの位置調整を行う。（矢印方向Ａ）
【００２９】
図８（ｂ）に示すように、位置調整を必要とするリールユニット７を回胴ケース２１から取り出し、ランプユニット９とセンサーステー１５を固定する固定ネジ２５を取り外し、センサーステー１５に設けられた嵌合凸片１５ａをランプユニット９に設けた複数の嵌合凹部９ｂのうち、特定のシンボルマーク２３ａを基準位置Ｏに合わせる方向で、再度異なる嵌合凹部９ｂに嵌合し組み立て直す。複数の嵌合凹部９ｂは、リールドラム１１を回転駆動させるモータ７ｂのステップ角と同等の角度αずつ離れて設けられており、該モータ７ｂのステップ角に準じて、図柄シート２３に描かれたシンボルマーク２３ａの位置を調整することができる。
【００３０】
また、モータ７ｂや検出センサ１３の特性、組付誤差等の要因により、前述するモータ７ｂのステップ角以下での調整が必要な場合、図８（ｂ）に示すように、スポーク部１１ａに設けた検出片１７を固定する固定ネジ２５を取り外し、該検出片１７の検出片嵌合部１７ｂの側面を、スポーク部１１ａに開口する嵌合穴１１ｂのもう一方側の側面に合致し直し、再度取り付けを行う。前記嵌合穴１１ｂ、及びスポーク部１１ａに設けた長穴１１ｃは、モータ７ｂの半ステップ角と同等の角度βの大きさ分開口しており、該モータ７ｂの半ステップ角に準じて、図柄シート２３に描かれたシンボルマーク２３ａの位置を調整することができる。
【００３１】
本発明において、センサーステー１５に設けられた嵌合凸片１５ａと、ランプユニット９に設けられ、モータ７ｂのステップ角に準じて複数設けられた嵌合凹部９ｂの任意の位置に嵌合させ、検出片１７に対する検出センサ１３の検出位置を移送し、モータ７ｂのステップ角に準じて図柄シート２３に描かれたシンボルマーク２３ａの位置を調整することができる第１調整手段と、スポーク部１１ａに開口する嵌合穴１１ｂの側面のどちらか一方と、検出片１７の検出片嵌合部１７ｂの側面を合致させて移動固定することで、モータ７ｂの半ステップ角に準じて図柄シート２３に描かれたシンボルマーク２３ａの位置を調整することができる第２調整手段と、を備えたことで高精度の位置調整を行うことができ、モータ７ｂや検出センサ１３の特性による位置ズレ、組立誤差等が生じても、特定のシンボルマーク２３ａを基準位置に合わせることができる。
【００３２】
また、第１調整手段、第２調整手段により、図柄シート２３の貼り直し作業をすることが無く、効率的に組立作業を行うことができる。さらに、ステップ角に準じた複数の嵌合凹部９ｂと、半ステップ角に準じて開口するスポーク部１１ａの嵌合穴１１ｂを設けたことで、具体的な位置合わせを行うことができ、調整におけるあいまいさを解消するものである。
【００３３】
本発明において、センサーステーをランプユニットに取り付ける際、前記センサーステーの嵌合凸片を、前記ランプユニットに設けられた複数の嵌合凹部の任意の位置に嵌合させることで、モータのステップ角に準じてシンボルマークの位置調整を行う第１調整手段と、前記検出片を移動固定し、モータの半ステップ角に準じてシンボルマークの位置調整を行う第２調整手段と、を備えたことにより構成されるが、検出片をステップ角に準じて移動固定可能とし、センサーステーをランプユニットに対し半ステップ角に準じて移動固定可能としても位置調整を行える。
【００３４】
本実施例において、センサーステー１５を固定する固定ネジ２５、及び検出片１７を固定する固定ネジ２５を取り外しシンボルマーク２３ａの位置調整を行っているが、固定ネジ２５を緩めて組み立て直すことでシンボルマーク２３ａの位置調整行うことも可能である。
【００３５】
また、本実施例において、スロットマシン１のリールユニット７に適用した場合について説明したが、パチンコ機等の弾球遊技機のリールユニットにも適用可能とする。
【図面の簡単な説明】
【００３６】
【図１】リールユニット７が設けられたスロットマシン１の外観斜視図を示す図である。
【図２】リールユニット７の外観斜視図を示す図である。
【図３】リールユニット７の分解斜視図を示す図である。
【図４】リールユニット７の部分拡大図を示す図である。
【図５】ランプユニット９に取り付ける検出センサ１３を備えたセンサーステー１５の詳細図を示す図である。
【図６】リールドラム１１に取り付ける検出片１７の詳細図を示す図である。
【図７】基準となるシンボルマーク２３ａの位置が他と異なった状態を示す図である。
【図８】リールユニット７の部分拡大図を示す図であり、（ａ）は移送前センサーステー１５と検出片１７の取付位置を示し、（ｂ）は移送後のセンサーステー１５と検出片１７の取付位置を示す図である。
【符号の説明】
【００３７】
１      スロットマシン
３      本体部
５      扉部
７      リールユニット
７ａ    ベース部
７ｂ    モータ
７ｃ    出力軸
９      ランプユニット
９ａ    基板（照光部）
９ｂ    嵌合凹部
９ｃ    センサ取付穴
１１    リールドラム
１１ａ  スポーク部
１１ｂ  嵌合穴
１１ｃ  長穴
１３    検出センサ
１５    センサーステー
１５ａ  検出凸片
１５ｂ  長穴
１７    検出片
１７ａ  検出部
１７ｂ  検出片嵌合部
１７ｃ  取付穴
２１    回胴ケース
２３    図柄シート
２３ａ  シンボルマーク
α      角度（ステップ角）
β      角度（半ステップ角）
Ｃ      中心
Ｏ      基準位置
【図１】
2009072406.tif 000003
【図２】
2009072406.tif 000004
【図３】
2009072406.tif 000005
【図４】
2009072406.tif 000006
【図５】
2009072406.tif 000007
【図６】
2009072406.tif 000008
【図７】
2009072406.tif 000009
【図８】
2009072406.tif 000010